(57)【要約】【課題】タッチパネル上での操作アイコンの表示位置を簡単でかつ確実に設定できる画像再生装置及びカメラを提供する。【解決手段】タッチパネル表示部を備える画像再生装置であって、上記タッチパネル表示部への表示を制御し、当該タッチパネル表示部に画像を再生する表示制御部と、当該画像再生装置の姿勢を検出する姿勢検出部と、を備え、上記表示制御部は、上記タッチパネル表示部の左右いずれか一方に画像再生に関する操作アイコン２０４を表示し、当該タッチパネル表示部の左右いずれかの他方に再生画像に関する付帯情報２１２を表示し、上記姿勢検出部で検出される当該画像再生装置の姿勢に応じて、上記操作アイコンと上記再生画像に関する付帯情報の左右の位置を逆に表示する。【選択図】図２
2013090056.tif 000002
【特許請求の範囲】
【請求項１】
タッチパネル表示部を備える画像再生装置であって、
上記タッチパネル表示部への表示を制御し、当該タッチパネル表示部に画像を再生する表示制御部と、
当該画像再生装置の姿勢を検出する姿勢検出部と、を備え、
上記表示制御部は、上記タッチパネル表示部の左右いずれか一方に画像再生に関する操作アイコンを表示し、当該タッチパネル表示部の左右いずれかの他方に再生画像に関する付帯情報を表示し、上記姿勢検出部で検出される当該画像再生装置の姿勢に応じて、上記操作アイコンと上記再生画像に関する付帯情報の左右の位置を逆に表示する
ことを特徴とする画像再生装置。
【請求項２】
上記表示制御部は、上記操作アイコンと上記付帯情報の左右の表示位置を固定する第1のモードと当該表示位置の逆の位置への移動を許可する第２の表示モードを選択的に備え、
上記表示制御部は、上記第1の表示モードと上記第２の表示モードとを、上記姿勢検出部で検出される画像再生装置の姿勢に応じて切換えるよう制御し、さらに上記第２の表示モードにおいて、当該姿勢検出部で検出される画像再生装置の姿勢に応じて上記操作アイコンと上記付帯情報の左右表示位置を入れ替えて表示する制御を行う
ことを特徴とする請求項１に記載の画像再生装置。
【請求項３】
上記表示制御部は上記第２の表示モードにおいて、上記画像再生装置の左右いずれか方向であって、上記タッチパネル表示部で現に上記操作アイコンが表示されている左右いずれかの方向に対応する方向で、当該画像再生装置を持ち上げる姿勢が上記姿勢検出部で検出された場合に、上記操作アイコンと上記付帯情報の左右位置を入れ替えて表示する
ことを特徴とする請求項２に記載の画像再生装置。
【請求項４】
上記表示制御部は、上記第１の表示モードと第２の表示モードとの切り替えは、上記画像再生装置の姿勢の時間的な変化が所定の速さより速い場合に行う
ことを特徴とする請求項２または３に記載の画像再生装置。
【請求項５】
撮像部とタッチパネル表示部とを備えるカメラであって、
上記タッチパネル表示部による操作を受けて撮影動作を制御する撮影動作制御部と、
上記タッチパネル表示部への表示を制御し、当該タッチパネル表示部に画像を再生する表示制御部と、
当該カメラの姿勢を検出する姿勢検出部と、を備え、
上記表示制御部は、上記タッチパネル表示部の左右いずれか一方に撮影に関する操作アイコンを表示し、当該タッチパネル表示部の左右いずれかの他方に撮影条件情報を表示し、上記姿勢検出部で検出される当該カメラの姿勢に応じて上記操作アイコンと上記撮影条件情報の左右の位置を逆に表示し、
上記撮影動作制御部は上記操作アイコンのタッチ操作を受けて上記撮像部を制御して撮影動作を行う
ことを特徴とするカメラ。
【請求項６】
前記表示制御手段は、上記操作アイコンと上記撮影条件情報の左右の表示位置を固定する第1の表示モードと当該表示位置の逆の位置への移動を許可する第２の表示モードを選択的に備え、
上記第1の表示モードと上記第２の表示モードとを、上記姿勢検出部で検出されるカメラの姿勢に応じて切換えるよう制御し、さらに上記第２の表示モードにおいて、当該姿勢検出部で検出されるカメラの姿勢に応じて上記操作アイコンと上記撮影条件情報の左右表示位置を入れ替えて表示する制御を行う
ことを特徴とする請求項５に記載のカメラ。
【請求項７】
前記表示制御手段は第２の表示モードにおいて、上記カメラの左右いずれか方向であって、上記タッチパネル表示部で現に上記操作アイコンが表示されている左右いずれかの方向に対応する方向で、当該カメラを持ち上げる姿勢が上記姿勢検出部で検出された場合に、上記操作アイコンと上記撮影条件情報の左右位置を入れ替えて表示する
ことを特徴とする請求項６に記載のカメラ。
【請求項８】
上記表示制御部は、上記第１の表示モードと第２の表示モードとの切り替えは、上記カメラの姿勢の時間的な変化が所定の速さより速い場合に行う
ことを特徴とする請求項６または７に記載のカメラ。
【発明の詳細な説明】
【技術分野】
【０００１】
本発明は、画面に表示される操作アイコンの位置設定の技術に関する。
【背景技術】
【０００２】
タッチパネルは携帯電話やカメラの入力部として広く普及している。操作指示用アイコンを任意の位置に設定できることがタッチパネルの大きな特徴であるが、特に小型の画像再生装置やカメラにおいては、操作者の利き手あるいはくせ等に応じて、操作指示用アイコンが画面どの位置に表示されるのがよいかが異なる。
【０００３】
そこで、撮影モードと再生モードのそれぞれに適した向きに操作アイコンの位置を制御するカメラが提案されている（特許文献１）また、右利きの人にとっては、一般に画面右側に操作アイコンがあるのが良く、左利きの人にとっては、逆に画面の左が好まれる。そこで、撮影者の操作される指の左右を指紋によって判断して、利き手に応じた画面位置にアイコンを表示することのできるカメラも提案されている（特許文献２）。また、筐体の左右側面に持ち手検出手段を設けて、その検出によって、画面の表示位置を切換える電子機器も提案されている（特許文献３）
【先行技術文献】
【特許文献】
【０００４】
【特許文献１】特開２０１１−１０１８１号公報
【特許文献２】特開２０１１−１５０６７２号公報
【特許文献３】特開２０１１−１１８７２９号公報
【発明の概要】
【発明が解決しようとする課題】
【０００５】
上述のように、タッチパネル搭載の携帯型の小型画像機器では、操作アイコンの位置が左右選択可能にされていれば、操作者が好みで設定でき、タッチパネルのメリットをより生かすことができる。そして、そのためには、操作アイコンの位置決め操作が、単純かつ分かりやすい操作であることと、設定された操作アイコンの位置が安定していることが少なくとも必要である。
【０００６】
本願発明は、上記課題に鑑み、タッチパネル上での操作アイコンの表示位置を簡単でかつ確実に設定できる画像再生装置及びカメラを提供することを目的とする。
【課題を解決するための手段】
【０００７】
上記目的を達成するために第1の発明に係る画像再生装置は、タッチパネル表示部を備える画像再生装置であって、上記タッチパネル表示部への表示を制御し、当該タッチパネル表示部に画像を再生する表示制御部と、当該画像再生装置の姿勢を検出する姿勢検出部と、を備え、上記表示制御部は、上記タッチパネル表示部の左右いずれか一方に画像再生に関する操作アイコンを表示し、当該タッチパネル表示部の左右いずれかの他方に再生画像に関する付帯情報を表示し、上記姿勢検出部で検出される当該画像再生装置の姿勢に応じて、上記操作アイコンと上記再生画像に関する付帯情報の左右の位置を逆に表示することを特徴とする。
【０００８】
また、第２の発明に係るカメラは、撮像部とタッチパネル表示部とを備えるカメラであって、上記タッチパネル表示部による操作を受けて撮影動作を制御する撮影動作制御部と、上記タッチパネル表示部への表示を制御し、当該タッチパネル表示部に画像を再生する表示制御部と、当該カメラの姿勢を検出する姿勢検出部と、を備え、上記表示制御部は、上記タッチパネル表示部の左右いずれか一方に撮影に関する操作アイコンを表示し、当該タッチパネル表示部の左右いずれかの他方に撮影条件情報を表示し、上記姿勢検出部で検出される当該カメラの姿勢に応じて上記操作アイコンと上記撮影条件情報の左右の位置を逆に表示し、  
上記撮影動作制御部は上記操作アイコンのタッチ操作を受けて上記撮像部を制御して撮影動作を行うことを特徴とする。
【発明の効果】
【０００９】
本発明によれば、タッチパネル上での操作アイコンの表示位置を簡単でかつ確実に設定できる画像再生装置及びカメラを提供することができる。
【図面の簡単な説明】
【００１０】
【図１】図１は、一実施形態におけるカメラ１００の構成を示すブロック図である。
【図２】図２は、撮影モードにおいてカメラの姿勢を変化させることによって操作アイコンの位置設定をする様子を、順番に示す図である。
【図３】図３は、再生モードにおいてカメラの姿勢を変化させることによって操作アイコンの位置設定をする様子を、順番に示す図である。
【図４】図４は, 撮影モードにおいて、操作アイコンエリアを左右いずれかの位置に移動させる処理を説明するフローチャートである。
【図５】図５は、再生モードにおいて、操作アイコンエリアを左右いずれかの位置に移動させる処理を説明するフローチャートである。
【発明を実施するための形態】
【００１１】
以下、図面に従って本発明の実施形態を説明する。本実施形態として、本発明の画像再生装置およびカメラにつき、まとめてカメラとした例で説明する。図１は、本発明を適用したカメラのブロック図である。
【００１２】
デジタルカメラ（カメラとも略す）１００は、レンズ１０１、シャッター１０３、レンズ駆動部１０４、レンズ駆動制御回路１０５、撮像素子１０６、撮像回路１０７、Ａ／Ｄ変換部１０８、制御部１２０、操作部１２１、姿勢検出部１２２、メモリ１２３、画像処理部１３０、ＪＰＥＧ処理部１３１、SDRAM１３２、メモリＩ／Ｆ１３３、表示ドライバ１３４、記録媒体１３５、タッチパネル表示部１３６、バス１４０等を備える。
【００１３】
制御部１２０は、デジタルカメラ１００の動作全体を制御するものである。制御部１２０には、操作部１２１、タッチパネル表示部１３６のタッチパネル部分及びメモリ１２３が接続される。操作部１２１は、操作者が各種指示をカメラに入力するためのものである。操作部１２１には、カメラボディの外観に設けられる操作ボタンおよびそのスイッチ、例えば、不図示の電源ボタンあるいはその他のボタンが含まれる。
【００１４】
メモリ１２３は、カメラの制御プログラムが記録された不揮発性のメモリで、例えばフラッシュメモリである。そして、制御部１２０は、制御プログラムを読み込んで、タッチパネル表示部１３６のタッチパネル部分や操作部１２１へ入力された操作指示を検出して、操作指示に応じた処理を行う。
【００１５】
また、制御部１２０には、姿勢検出部１２２が接続される。姿勢検出部１２２は、カメラ１００の姿勢を検出するもので、加速度センサを１つまたは複数有している。加速度センサの出力は制御部１２０に通知される。制御部１２０は、姿勢検出部１２２からの加速度センサ信号を検出して、カメラの姿勢や姿勢変化の速度、加速度、それぞれの方向を判断する。
【００１６】
また、制御部１２０は、前述のようにプログラムを読み込んでカメラ動作を制御するが、便宜上制御処理の一部を、表示制御部１２０ａ、撮影動作制御部１２０ｂというように、機能部として表す。表示制御部１２０ａは、カメラの動作指示に関する情報をタッチパネル表示部１３６の画面に表示し、その情報とユーザーからの操作を対応させて制御するＵＩ（User  Interface）機能である。
【００１７】
表示制御部１２０ａは、撮影モードにおいて、カメラの動作指示に関する情報として撮影条件を設定するためのＵＩ情報（撮影条件情報や操作アイコン）をライブビュー画面上に表示させる。また、表示制御部１２０ａは、上記タッチパネル表示部１３６に入力された指示に応じて、画面表示を変更し、併せて撮影条件の設定や撮影動作を制御する。そして、表示制御部１２０ａは、カメラの姿勢に応じて、撮影用の操作アイコン等のＵＩ情報の位置の固定や移動を制御する。
【００１８】
さらに、表示制御部１２０ａは、再生モードにおいては、カメラの動作指示に関する情報として再生機能用のＵＩ情報（再生用の付帯情報や操作アイコン）を画面に表示する。また、表示制御部１２０ａは、上記タッチパネル表示部１３６に入力された指示に応じて、画面表示を変更し、併せて表示画像切換え等を制御する。そして、表示制御部１２０ａは、カメラの姿勢に応じて、再生用の操作アイコン等のＵＩ情報の位置の固定や移動を制御する。また、撮影動作制御部１２０ｂは上記操作アイコンのタッチ操作を受けて撮像部１０９を制御して撮影動作を制御する。
【００１９】
レンズ１０１は、複数のレンズから構成され、被写体像を撮像素子１０６に結像する。レンズ１０１を通過する光束の中心が光軸１０２である。シャッター１０３は、レンズ１０１を通過して撮像素子１０６へ結像される被写体光束を一定時間遮蔽するためのものである。レンズ駆動部１０４は、モータや伝達系を有し、モータを駆動して、レンズ１０１を所定のピント位置あるいは指示されたズーム位置に移動するよう調整する。制御部１２０には、レンズ駆動部１０４を制御するレンズ駆動制御回路１０５が接続される。レンズ駆動制御回路１０５は、制御プログラムに従った制御部１２０からの命令に従って、レンズ駆動部１０４を構成するモータ等を駆動するものである。
【００２０】
撮像素子１０６は、ＣＣＤやＣＭＯＳで構成され、被写体像を電気信号に変換するものである。撮像素子１０６で光電変換された画像信号は撮像回路１０７に入力される。撮像回路１０７は、適切なゲインで画像信号を増幅したり、ノイズを軽減する機能を有する。Ａ／Ｄ変換部１０８は、撮像回路１０７から出力されたアナログの画像信号をデジタルの画像データに変換する。レンズ１０１、シャッター１０３、レンズ駆動部１０４、レンズ駆動制御回路１０５、撮像素子１０６、撮像回路１０７、Ａ／Ｄ変換部１０８等から撮像部１０９が構成される。
【００２１】
画像処理部１３０は、デジタル化された画像データに対して、ホワイトバランス、ガンマ補正等の処理を行う。画像処理部１３０は、さらにタッチパネル表示部１３６に表示するライブビュー画像や再生画像に対する表示用の処理、及び各種情報やアイコンをライブビュー画像や再生画像に重畳して表示する処理を行う。
【００２２】
ＪＰＥＧ処理部１３１は、撮影されて画像処理部１３０で各種画像処理がされた画像データを、記録媒体１３５に記録するため、または記録媒体１３５に記録された画像データを再生するためのものである。ＪＰＥＧ処理部１３１は、記録時には記録媒体１３５に記録するためのＪＰＥＧ圧縮処理を行い、再生時には記録媒体１３５から読み出した圧縮された画像データに対して伸長処理を行う。ＪＰＥＧ処理部１３１には、必要に応じてＭＰＥＧ等の動画処理機能が含まれる。
【００２３】
ＳＤＲＡＭ（Synchronous Dynamic Random Access Memory）１３２は、デジタルの画像信号を一時的に格納するためのメモリである。ＳＤＲＡＭ１３２は、Ａ／Ｄ変換部１０８、画像処理部１３０、ＪＰＥＧ処理部１３１、メモリＩ／Ｆ１３３、表示ドライバ１３４の各種処理中に、画像データを一時的に格納するバッファーエリアを有している。
【００２４】
メモリＩ／Ｆ１３３は、記録媒体１３５に画像データを記録、あるいは記録媒体１３５から画像データを読み出しするために、記録媒体１３５を制御するインターフェース部である。記録媒体１３５は、画像データの保存用メモリであって、フラッシュメモリやハードディスクから構成される。
【００２５】
表示ドライバ１３４は、撮影時のライブビュー画像や再生時の画像をタッチパネル表示部１３６に表示させるように、タッチパネル表示部１３６を駆動する。タッチパネル表示部１３６は、ＬＣＤやＥＬ等の表示部の表面にタッチパネルが設けられたものである。タッチパネル表示部１３６へのタッチ操作は、その位置や時間が制御部１２０へ通知される。なお、タッチパネル表示部１３６は、以下で簡便のために表示部とも称す。
【００２６】
バス１４０は、制御部１２０と各種処理部とを、信号の相互通信によって接続するもので、制御部１２０、画像処理部１３０、ＪＰＥＧ処理部１３１、ＳＤＲＡＭ１３２、メモリＩ／Ｆ１３３、表示ドライバ１３４等が接続される。
【００２７】
なお、カメラ１００の再生機能を受け持つ部分、つまり、カメラ全体の中で再生モードで動作する部分が画像再生装置である。図１のブロック図で、カメラ１００から主として撮像部１０９及び撮影動作制御部１２０ｂを除いた要素が、画像再生装置を構成される。
【００２８】
以下では、上記のように構成されたカメラにおいて、撮影や再生においてタッチパネル上に表示される操作アイコンや関連情報の位置を、姿勢検知部１２２によって、カメラ１００の姿勢を検知し、姿勢検知部の出力に基づき制御することについて説明する。
【００２９】
図２は、撮影モードにおいてカメラの姿勢を変化させることによって操作アイコンの位置設定をする様子を、順番に示す図である。図２（Ａ）〜（Ｄ）において、夫々左側がカメラ１００の姿勢を示す図で、右側が対応するタッチパネル表示部１３６の表示内容を示す図である。図２では、右側にあった操作アイコンエリア２０２を左側に移動させる操作を示す。
【００３０】
図２（Ａ）の左の図は、カメラ１００を背面側から見た外観図である。カメラ１００の背面にタッチパネル表示部１３６が設けられる。タッチパネル表示部１３６は背面の大部分を占めるサイズである。また、カメラ１００の前面にはレンズ１０１が備えられる。ここで、レンズ１０１はその光軸１０２がタッチパネル表示部１３６の画面２００に略直交する向きに備えられるとする。また本図では、カメラ１００の姿勢は、光軸１０２が地面に対して平行になる向きになっているが、この姿勢を、以下で正規姿勢と表現する。また、以下でカメラの左右については、カメラの背面から見た方向で示す。つまり、図２（Ａ）で示すように、「Ｒ」で示される側を右と表現し、「Ｌ」の側を左と表現する。
【００３１】
図２（Ａ）の右の図は、撮影モードでタッチパネル表示部１３６に示される画面の１例を示す図である。画面２００全体にライブビュー画像が表示され、ライブビュー画像に重畳して、画面の右側に操作アイコンエリア（操作アイコン表示エリアとも称す）２０２が設定される。操作アイコンエリア２０２は、操作アイコンの各種を表示するための領域である。撮影モードでの操作アイコンの代表例として、レリーズアイコン２０４と機能割り当てアイコン２０６を示す。レリーズアイコンは、撮影者のタッチ操作により、撮影の実行を指示させるためのアイコンである。機能割り当てアイコン２０６は、タッチされることにより、事前に設定された特定の撮影条件を呼び出すアイコンである。事前に設定された特定の撮影機能とは、撮影者が自分の良く使う撮影条件として不図示のメニュー画面で登録された機能である。例えば露出補正、ストロボ発光条件あるいはホワイトバランスなどの撮影条件である。
【００３２】
また、ライブビュー画像に重畳して、画面２００の左側に撮影情報エリア（撮影条件情報表示エリアとも称す）２１０が設定される。撮影情報エリア２１０は、撮影情報を表示するための領域である。画面に表示されているのは、撮影情報の1例である。例えば撮影モードとして露出モード（Ｐはプログラムモードを示す）２１２が表示される。また、その他の情報として、上から順に、絞り値（Ｆ5.6）、シャッタースピード（１／１２５）、ホワイトバランス（ＡＷＢ）、ＡＦモード（シングル）が表示される。
【００３３】
図２（Ｂ）は、カメラの姿勢を変えて、操作アイコンエリア２０２と撮影情報エリア２１０の位置を移動可能にする様子を示す図である。図２（Ｂ）の左は、カメラ１００が撮影者によって図２（Ａ）の正規姿勢（破線）から、矢印２５０方向に速い速度で約９０度回動させて、光軸１０２が下を向く姿勢（実線）に変化される様子を示す。また、図２（Ａ）の実線で示すカメラの姿勢を下向き姿勢と呼ぶ。
【００３４】
この姿勢変化がカメラ１００内の姿勢検知部１２２で検出されると、操作アイコンエリア２０２と撮影情報エリア２１０の位置が移動可能な状態に切換わる。この操作アイコンエリア２０２と撮影情報エリア２１０の位置が移動可能な状態を、第２表示（あるいは第２の表示）モードと呼ぶ。対して、図２(Ａ)で示したような、第２表示モードになる以前の固定された状態を、第１表示（あるいは第１の表示）モードと呼ぶ。
【００３５】
図２（Ｂ）の右側は、第２の表示モードでの画面である。第１表示モードから第２の表示モードに切換わったことを示すために、第２表示モードでは、識別用の表示が行われる。1例として、ここでは、操作アイコンエリア２０２と撮影情報エリア２１０が濃い色で表示される例を示す。
【００３６】
図２（Ｃ）は、第２の表示モードになった後に、操作アイコンエリア２０２と撮影情報エリア２１０を逆の位置に移動させる様子を示す図である。図２（Ｃ）の右は、光軸１０２が下を向いた状態で、撮影者によってカメラ１００の右側（Ｒ）が左側（Ｌ）より高くなるように持ち上げられた状態である。つまり、図２（Ｃ）に図示している矢印２５０の方向に、水平面からの傾斜をもたせている状態である。この操作により、操作アイコンエリア２０２が左側に移動され、撮影情報エリア２１０が逆に右側に移動される。図２（Ｃ）は、その移動後の画面を示す。レリーズアイコン２０４、機能割り当てアイコン２０６が左側の端部に移動されている。なお、図示はしないが、操作アイコンエリア２０２が画面２００の左側にある場合に、第2表示モードで、カメラ１００の左側（Ｌ）が右側（Ｒ）より高くなるように持ち上げられた場合には、操作アイコンエリア２０２は右側に移動され、撮影情報エリア２１０が入れ替わって左に移動する。
【００３７】
図２（Ｄ）は、操作アイコンエリア２０２を左側に移動させて、第２表示モードから第１の表示モードに戻す様子を示す図である。下向き姿勢（破線）のカメラ１００から、撮影者によって矢印２５０方向に速い速度で約９０度回動させて、正規姿勢に変化された様子を示す。図２（Ｂ）の場合と逆に回動された状態である。
【００３８】
図２（Ｄ）の右が、かかる姿勢変化が検出されて、第２表示モードから第１の表示モードに切換わったタッチパネル表示部１３６の画面である。操作アイコンエリア２０２と撮影情報エリア２１０の色も、濃い色から通常の色に戻る。
【００３９】
以上説明したように、撮影モードにおいては、カメラ１００の姿勢をカメラの前後方向に早い速度で回動させることで、アイコン等が固定の第１表示モードと  アイコン等が移動可能な第２表示モードを切換えることができる。さらに、第２表示モードにおいて、操作アイコンエリア２０２を基準として、操作アイコンエリア２０２の現在の表示側が高くなるような姿勢（持ち上げる姿勢）を取られた場合に、操作アイコンエリアを逆サイドに移動させるようにしている。この操作は、操作アイコンを斜面を滑らせて低い側に移動させるような感覚の操作になるので、覚えやすい操作である。また、操作アイコンの方を基準にしたのは、実際に指で操作される操作アイコンが、撮影者の利き手に応じて左右いずれかに移動させたい対象になるからである。
【００４０】
また、第1表示モードから第2表示モードへの切り換えた後の姿勢である、画面２００が上を向いた状態が、第2表示モードでの移動操作の検出姿勢に対応する。これにより、第1表示モードから第2表示モードへの切換えと第2表示モードでの操作アイコンの移動が連続的に実行することができる。
【００４１】
図３は、再生モードにおいてカメラの姿勢を変化させることによって操作アイコンの位置設定をする様子を、順番に示す図である。図３（Ａ）〜（Ｄ）で、夫々左側がカメラ１００の姿勢を示す図で、右側が対応してタッチパネル表示部１３６の表示内容を示す図である。図３では、図２と同様に、右側にあった操作アイコンエリア２０２を左側に移動させる操作を示す。
【００４２】
図３（Ａ）は、再生モードにおける第１表示モードの状態である。図３（Ａ）の左の図は、カメラ１００の背面図である。図２（Ａ）と同様な、カメラ１００が正規姿勢の状態である。また、機器が画像再生装置の場合には、図３において、画像再生装置は、カメラ１００から円筒形の撮影レンズ１０１を除いた略直方体の形状とする。そこで、カメラと画像再生装置の姿勢を共通に示す表現として、タッチパネル表示部１３６の画面２００のセンタを含み、画面２００に直交する軸を画面軸２６０とし、画面軸２６０と画面２００の向きで機器の姿勢を表現する。なお、光軸１０２と画面軸２６０は平行な関係にあり、上述の「カメラの下向き」の姿勢は、画面２００が地面に平行でかつ画面軸２６０が上を向く姿勢である。
【００４３】
図３（Ａ）の右は、再生モードの場合の、画面表示の１例を示す図である。画面２００には、再生画像が表示され、再生画像に重畳させて画面右側に操作アイコン表示エリア（操作アイコンエリアと称す）２３０、画面左側に付帯情報表示エリア（付帯情報エリアと称す）２４０が設定される。操作アイコンエリアに表示される操作アイコンの例として、画像切換えアイコン２３２、編集アイコン２３４を示す。画像切換えアイコン２３２は、左右いずれかの矢印形状のアイコンへのタッチ操作により、画像番号の昇順に従って画像が切換わる。編集アイコン２３４は、赤目補正、モノトーン、リサイズ等の画像編集を呼び出すアイコンである。付帯情報エリア２４０には、現在表示されている画像の撮影条件（絞りF5.6、シャッタースピード１／１２５、オートホワイトバランス）や画像番号（Ｎｏ００５０）が例えば表示される。
【００４４】
図３（Ｂ）の左の図は、画面軸２６０が地面に垂直な姿勢、つまり下向き姿勢のカメラで、操作者によって、矢印２５０の方向に速い速度で回動されて、カメラ１００が正規位置まで戻された状態を示す。かかる操作により、第１表示モードから第２表示モードに切換わる。
【００４５】
図３（Ｂ）の右の図は、第２表示モードに切換わった画面２００を示す図である。操作アイコンエリア２３０と付帯情報エリア２４０が濃い色で表示される。
【００４６】
図３（Ｃ）の左の図は、図３（Ｂ）の操作によって第２表示モードにされたカメラで、操作者によって、カメラ１００が正規姿勢から、図示の矢印２５０の方向へ右側を持ち上げるよう姿勢が変化された様子である。画面２００は地面に垂直のままで、また画面軸２６０も地面に平行なままである。
この操作によって、図３（Ｃ）の右の図のように、操作アイコンエリア２３０が左側に移動し、逆に付帯情報エリア２４０が右側に移動する。なお、図示はしないが、操作アイコンエリア２３０が画面２００の左側にある場合に、第2表示モードで、カメラ１００の左側（Ｌ）が右側（Ｒ）より高くなるように持ち上げられた場合には、操作アイコンエリア２３０は右側に移動され、撮影情報エリア２１０が入れ替わって左に移動する。
【００４７】
図３（Ｄ）は、図３（Ｃ）での操作アイコンエリア２３０の左側への移動操作の後、第２表示モードから第１表示モードに戻す操作を示す。図３（Ｄ）の左の図は、正規姿勢にあるカメラ１００（破線）を、操作者が矢印２５０の方向に速い速度でカメラを下向きの姿勢まで回動させる様子を示す。この操作により、第２表示モードから第１表示モードに戻り、図３（Ｄ）の右に示すように、左側に移動された操作アイコンエリア２３０が固定された画面になる。
【００４８】
以上説明したように、再生モードにおいては、カメラ１００の姿勢をカメラの前後方向に早い速度で回動させることで、アイコン等が固定の第１表示モードと  アイコン等が移動可能な第２表示モードを切換えることができる。さらに、第２表示モードにおいて、操作アイコンエリア２３０を基準として、操作アイコンエリア２３０の現在の表示側が高くなるような姿勢（持ち上げる姿勢）を取られた場合に、操作アイコンエリアを逆サイドに移動させるようにしている。この操作は、操作アイコンを斜面を滑らせて低い側に移動させるような感覚の操作になるので、覚えやすい操作である。また、操作アイコンの方を基準にしたのは、実際に指で操作される操作アイコンが、操作者の利き手に応じて左右いずれかに移動させたい対象になるからである。
【００４９】
また、第1表示モードから第2表示モードへの切り換えた後の姿勢である、カメラの正規姿勢が、第2表示モードでの移動操作の検出姿勢に対応する。これにより、第1表示モードから第2表示モードへの切換えと第2表示モードでの操作アイコンの移動が連続的に実行することができる。
【００５０】
次に、本実施形態の処理を図４から図５に示すフローチャートを用いて説明する。これらのフローチャートは、主として制御部１２０がメモリ１２３に記憶されているプログラムを読み込んで実行することで実現される。まず、図４は、撮影モードにおいて、操作アイコンエリアを左右いずれかの位置に移動させる処理を説明するフローチャートである。図２で説明した一連の操作に対応する処理である。
【００５１】
まず、撮影モードにおいて、操作アイコンや撮影情報が重畳されたライブビュー画像を表示する。撮影モードの開始時は、第１表示モードに設定されている。また、操作アイコンエリア等は前回保持された設定で画面を表示する（Ｓ１１）。前回の設定がされていなければ、デフォルトの位置に表示する。デフォルト位置としては、例えば、図２（Ａ）の右図に示すレイアウトである。
【００５２】
次に、第１表示モードから第２表示モードへの切換え操作が、撮影者によりされたかを判断する。カメラ１００に対する回動速度が所定以上かを判断する（Ｓ１２）。さらに、カメラが正規姿勢から下向きの姿勢まで９０度回動されたかを判断する（Ｓ１３）。Ｓ１２とＳ１３のいずれもＹＥＳと判断されれば、撮影者により第２表示モードへの切換え操作がされたと判断する。図２（Ｂ）の左の図で説明したような操作である。かかる操作により、表示モードを第２の表示モードに設定する（Ｓ１４）。カメラへの回動速度が所定以上でない（Ｓ１２ＮＯ）、あるいは正規姿勢から下向きの姿勢まで回動されていないと判断した場合には（Ｓ１３ＮＯ）、第2表示モードへ切換える操作ではないと判断し、Ｓ１１に戻る。
【００５３】
Ｓ１４で第２の表示モードに設定した後は、Ｓ２０〜Ｓ２４で操作アイコンエリア２０２を切換える操作の有無を判断し、Ｓ２５〜Ｓ２７で第１表示モードへ戻す操作の有無を判断する。
図４のフローチャートでは、Ｓ１４の第２の表示モードに設定した直後の状態を、状態Ａとして示す。
【００５４】
まず、光軸１０２が地面と平行な状態、つまり画面が水平な姿勢から、画面左側よりも右側が高くなるように、カメラの右側を持ち上げる姿勢にされたかを判断する（Ｓ２０）。Ｓ２０でＹＥＳと判断すると、現在の操作アイコンエリア２０２が画面の右側であるかを判断する（Ｓ２１）。操作アイコンエリア２０２が右側であると判断すると（Ｓ２１ＹＥＳ）、操作アイコンエリア２０２と撮影情報エリア２１０の表示位置を左右逆転する（Ｓ２２）。図２（Ｃ）で示したような操作である。Ｓ２２の処理の後は、状態Ａに遷移して、Ｓ２０の条件判断処理に戻る。
【００５５】
Ｓ２１において、操作アイコンエリア２０２が右側でないと判断すると（Ｓ２１ＮＯ）
、状態Ａに遷移して、Ｓ２０の条件判断処理に戻る。この状態では上記Ｓ２０での操作は、無効となる。その理由は、つまり、操作アイコンを低い側に滑らすような操作をしているからである。
【００５６】
状態Ａに遷移して、Ｓ２０の条件判断処理に戻り、Ｓ２０の条件判断結果がＮＯであると判断すると、画面右側よりも左側が高くなるように、カメラの左側を持ち上げる姿勢にされたかを判断する（Ｓ２３）。Ｓ２３でＹＥＳと判断すると、現在の操作アイコンエリア２０２が画面の左側であるかを判断する（Ｓ２４）。操作アイコンエリアが左側であると判断すると（Ｓ２４ＹＥＳ）、前述のように操作アイコンエリア２０２と撮影情報エリアの表示位置を左右逆転する（Ｓ２２）。
【００５７】
Ｓ２３に戻り、Ｓ２３がＮＯと判断すると、カメラに対する回動速度が所定以上かを判断する（Ｓ２５）。さらに、カメラが下向きの姿勢から正規姿勢からまで９０度回動されたかを判断する（Ｓ２６）。Ｓ２５とＳ２６のいずれもＹＥＳと判断されれば、撮影者により第２表示モードから第１表示モードへの切換え操作がされたと判断する。図２（Ｄ）の左の図で説明したような操作である。かかる操作により、表示モードを第１の表示モードに戻すよう設定する（Ｓ２７）。カメラへの回動速度が所定以上でない（Ｓ２５ＮＯ）、あるいはカメラが下向きの姿勢から正規姿勢まで回動されていないと判断した場合には（Ｓ２６ＮＯ）、状態Ａに遷移して、Ｓ２０の条件判断処理に戻る。
【００５８】
次に、図５は、再生モードにおいて、操作アイコンエリアを左右いずれかの位置に移動させる処理を説明するフローチャートである。図３で説明した一連の操作に対応する処理である。なお、再生モードでの操作アイコンの移動に関しては、カメラ１００と画像再生装置の処理は基本的に共通するので、カメラ１００の再生モードを代表として説明する。
【００５９】
まず、再生モードにおいて、操作アイコンや付帯情報が重畳された再生画像を表示する。再生モードの開始時は、第１表示モードに設定されている。また、操作アイコンエリア等は前回保持された設定で画面を表示する（Ｓ３１）。前回の設定がされていなければ、デフォルトの位置に表示する。デフォルト位置としては、例えば、図３（Ａ）の右図に示すレイアウトである。
【００６０】
次に、第１表示モードから第２表示モードへの切換え操作が、操作者によりされたかを判断する。カメラ１００に対する回動速度が所定以上かを判断する（Ｓ３２）。さらに、カメラが下向きの姿勢から正規姿勢まで９０度回動されたかを判断する（Ｓ３３）。Ｓ３２とＳ３３のいずれもＹＥＳと判断されれば、操作者により第２表示モードへの切換え操作がされたと判断する。図３（Ｂ）の左の図で説明したような操作である。かかる操作により、表示モードを第２の表示モードに設定する（Ｓ３４）。カメラへの回動速度が所定以上でない（Ｓ３２ＮＯ）、あるいはカメラが下向きの姿勢から正規姿勢まで回動されていないと判断した場合には（Ｓ３３ＮＯ）、第2表示モードへ切換える操作ではないと判断し、Ｓ３１に戻る。
【００６１】
Ｓ３４で第２表示モードに設定した後は、Ｓ４０〜Ｓ４４で操作アイコンエリア２３０を切換える操作の有無を判断し、Ｓ４５〜Ｓ４７で第１表示モードへ戻す操作の有無を判断する。図５のフローチャートでは、Ｓ３４の第２の表示モードに設定した直後の状態を、状態Ｂとして示す。
【００６２】
まず、カメラの正規姿勢（画面が垂直な姿勢）から、画面左側よりも右側が高くなるように、つまりカメラの右側を持ち上げる姿勢にされたかを判断する（Ｓ４０）。Ｓ４０でＹＥＳと判断すると、現在の操作アイコンエリア２３０が画面の右側であるかを判断する（Ｓ４１）。操作アイコンエリア２３０が右側であると判断すると（Ｓ４１ＹＥＳ）、操作アイコンエリア２３０と付帯情報エリア２４０の表示位置を左右逆転する（Ｓ４２）。図３（Ｃ）で示したような操作である。Ｓ４２の処理の後は、状態Ｂに遷移し、Ｓ４０の条件判断処理に戻る。
【００６３】
Ｓ４１において、操作アイコンエリア２０２が右側でないと判断すると（Ｓ４１ＮＯ）、状態Ｂに遷移し、Ｓ４０の条件判断処理に戻る。このときは、Ｓ４０での操作は無効となる。その理由は、つまり、操作アイコンを低い側に滑らすような操作を、しているからである。
【００６４】
Ｓ４０に戻り、Ｓ４０がＮＯであると判断すると、画面が垂直な姿勢において、画面右側よりも左側が高くなるように、カメラの左側を持ち上げる姿勢にされたかを判断する（Ｓ４３）。Ｓ４３でＹＥＳと判断すると、現在の操作アイコンエリア２３０が画面の左側であるかを判断する（Ｓ４４）。操作アイコンエリアが左側であると判断すると（Ｓ４４  ＹＥＳ）、前述のように操作アイコンエリア２３０と撮影情報エリアの表示位置を左右逆転する（Ｓ４２）。
【００６５】
Ｓ４３に戻り、Ｓ４３がＮＯであると判断すると、カメラに対する回動速度が所定以上かを判断する（Ｓ４５）。さらに、画面軸２６０が正規姿勢から画面軸が下向き垂直な姿勢まで９０度回動されたかを判断する（Ｓ４６）。Ｓ４５とＳ４６のいずれもＹＥＳと判断されれば、撮影者により第２表示モードから第１表示モードへの切換え操作がされたと判断する。図３（Ｄ）の左の図で説明したような操作である。かかる操作により、表示モードを第１の表示モードに戻すよう設定する（Ｓ４７）。カメラへの回動速度が所定以上でない（Ｓ４５  ＮＯ）、あるいは正規姿勢から下向きの姿勢まで回動されていないと判断した場合には（Ｓ４６  ＮＯ）、状態Ｂに遷移し、Ｓ４０の条件判断処理に戻る。
【００６６】
以上説明したような操作によって、カメラの撮影／再生モード及び画像再生装置において、タッチパネル上での操作アイコンの表示位置を簡単でかつ確実に設定できる。
【００６７】
また、撮影モードでは、第2表示モードにおいて、下向き姿勢（図２（Ｃ）、光軸１０１が下向き）を、操作アイコンの左右の移動操作を受付ける姿勢とした。撮影時の標準的な姿勢である正規姿勢ではなく、カメラの下向き姿勢で操作させることで、誤操作を防止することができる。
【００６８】
また、再生モードでは、第2表示モードにおいて、正規姿勢（図３（Ｃ）、画面軸２６０が上向き）を、操作アイコンの左右の移動操作を受付ける姿勢とした。再生モードでは、画像再生装置（カメラ）は、表示部に再生される画像を鑑賞するのが目的なので、撮影モードとは逆に、一般的な姿勢が下向き姿勢になる。そこで、一般的な姿勢ではなく正規姿勢を操作アイコンの左右の移動操作を受付ける姿勢とした。これにより、誤操作を防止することができる。
【００６９】
また、第1表示モードと第2表示モードの切換えは、カメラに加わる通常の移動速度より十分に大きい速度で許可されるように設定されていればよい。撮影者が意図しないのに、モードが切換ってしまうことを防止するためである。例えば、０．１秒以内にカメラ姿勢を９０度を変化させる以上の速度であればよい。あるいは変化の角度をもっと大きく設定してもよい。
【００７０】
また、Ｓ２０、Ｓ２３、Ｓ４０、Ｓ４３において、カメラの一方が持ち上げられる姿勢を判断するが、具体的な角度としては、例えば４５度以上である。もちろん、これに限るものではない。撮影者が意図しないのに、操作アイコンの表示位置が容易に切換ってしまう程度の角度でなければよい。
【００７１】
また、上記実施形態では、第１表示モードから第２表示モードへの切換え操作や第２表示モードでの操作アイコンの位置設定の操作を、カメラの姿勢変化の検出のみで行ったがこれに限られるものではない。
【００７２】
例えば、カメラの姿勢を変化させながら、カメラの外観に設けられた操作ボタンが同時に押された場合に、有効と判断するようにしてもよい。誤操作が防止できるからである。
【００７３】
さらに、操作アイコンの移動は、カメラの傾きだけで移動させるようにはしないで、傾いた状態でさらに別な操作が加わった場合に移動させるようにしてもよい。別な操作を加えることで、操作アイコンを間違えて移動させるおそれがなくなる。別な操作としては、例えば、現在操作アイコンが表示されている側のカメラ側面を軽く叩く操作やカメラをゆする操作である。
【００７４】
また、第１表示モードから第２表示モードへの切換え操作があっても、その後操作アイコンの移動操作が所定時間（例えば１０秒）ない場合には、第１表示モードに戻すよう切換えてもよい。また、第２表示モードで操作アイコンの移動があっても、移動後に第１表示モードへの切換え操作が所定時間（５秒）ない場合には、その直近の移動をキャンセルするようしてもよい。
【００７５】
なお、以上の実施形態においては、制御部１２０がメモリ１２３に格納されたプログラムを読み出して実行することで、上記フローチャートが処理されるので、制御用プログラムも本発明となる。あわせて、このような制御用プログラムが記録された記録媒体も本発明となる。プログラムを格納する記録媒体としては、フラッシュメモリに限定されるものではなく、ＣＤ−ＲＯＭ、ＤＶＤ−ＲＯＭ等の光学記録媒体、ＭＤ等の磁気記録媒体、テープ媒体、ＩＣカードなどの半導体メモリであってもよい。そして、かかる処理は、ソフトウェア処理に限るものではなく、ソフトウェア処理とハードウェア処理の組み合わせで、実現してもよい。
【００７６】
また、本発明の一実施形態においては、画像再生装置がデジタルカメラに搭載された例を説明したが、画像再生装置は、デジタルカメラに搭載されるだけでなく、単独でも良いし、ビデオカメラや画像再生装置やソフトウェアに搭載されても構わない。
【００７７】
また、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組合わせても良い。さらに、異なる実施形態にわたる構成要素を適宜組合わせてもよい。このような、発明の趣旨を逸脱しない範囲内において種々の変形や応用が可能であることはもちろんである。
【符号の説明】
【００７８】
１０１・・・レンズ、１０２・・・光軸、１０３・・・シャッター、１０４・・・レンズ駆動部、１０５・・・レンズ駆動制御回路、１０６・・・撮像素子、１０７・・・撮像回路、１０８・・・Ａ／Ｄ変換部、１０９・・・撮像部、１２０・・・制御部、１２１・・・操作部、１２２・・・姿勢検出部、１２３・・・メモリ、１３０・・・画像処理部、１３１・・・ＪＰＥＧ処理部、１３２・・・ＳＤＲＡＭ、１３３・・・メモリＩ／Ｆ、１３４・・・表示ドライバ、１３５・・・記録媒体、１３６・・・タッチパネル表示部、
【図１】
2013090056.tif 000003
【図２】
2013090056.tif 000004
【図３】
2013090056.tif 000005
【図４】
2013090056.tif 000006
【図５】
2013090056.tif 000007